【事件の表示】
　特願２０００−２７０１３１「ディスク再生方法及び装置」拒絶査定不服審判事件〔平成１４年　３月２２日出願公開、特開２００２−　８３４８７〕について、次のとおり審決する。
【結　論】
　本件審判の請求は、成り立たない。
【理　由】
第１　手続の経緯
　本願は、平成１２年９月６日の出願であって、拒絶理由の通知に応答して平成１６年９月１５日付けで手続補正がなされたが、平成１６年１１月１６日付けで拒絶査定がなされ、これに対し、同年１２月２２日に拒絶査定不服審判が請求されるとともに、手続補正がなされたものである。
　
第２　平成１６年１２月２２日付けの手続補正についての補正却下の決定
　
［補正却下の決定の結論］
　平成１６年１２月２２日付けの手続補正（以下、「本件補正」という。）を却下する。
　
［理由］
１．補正後の本願発明 　　　　　　　　　　　　　　　　　　　　　　
　本件補正後の特許請求の範囲の請求項１は、補正前の請求項２（平成１６年９月１５日付け手続補正書参照）に対応することが明らかで、
「【請求項２】
　それぞれＴＯＣ情報を有する複数のディスクをストッカの一部に収納した状態で装填し、該ＴＯＣ情報を参照して目的のディスクを選択的に再生するに際し、ディスクに記録されたデータを一旦メモリに蓄積し、該メモリに蓄積されたデータを再生することによりディスク交換時の継続再生を可能にするディスク再生方法において、
　複数のディスクが装填された時点で、各ディスクのＴＯＣ情報をストッカ情報と結び付けて読み込んで一旦保持し、目的のディスクを再生するときは、保持されたＴＯＣ情報を参照することを特徴とするディスク再生方法。」
としていたものを請求項番を繰り上げて、
「【請求項１】
　それぞれＴＯＣ情報を有する複数のディスクをストッカの一部に収納した状態で装填し、該ＴＯＣ情報を参照して目的のディスクを選択的に再生するに際し、ディスクに記録されたデータを一旦
プルーフ
プルーフ
　複数のディスクが装填された時点で、各ディスクのＴＯＣ情報をストッカ情報と結び付けて読み込んで一旦保持し、目的のディスクを再生するときは、保持されたＴＯＣ情報を参照することを特徴とするディスク再生方法。」
とするものである。
　
　すると、上記補正は、「補正前の請求項２」に係る発明を特定するために必要な事項である「メモリ」について「プルーフメモリ」と限定するものであって、これは特許法第１７条の２第４項第２号の特許請求の範囲の減縮を目的とするものに該当する。
　
　そこで、本件補正後の前記請求項１に係る発明（以下、「本願補正発明」という。）が特許出願の際独立して特許を受けることができるものであるか（特許法第１７条の２第５項において準用する同法第１２６条第５項の規定に違反するか）否かについて以下検討する。
　
２．引用例
　原査定の拒絶の理由に引用された特開２０００−５７７５４号公報（以下、「引用例１」という。）には、図面と共に、以下の記載がある。なお、下線は、当審で付与した。
（１）「【０００１】〔発明の属する技術分野〕この発明は、楽曲などの情報が記録される
ＭＤ（ミニディスク）やＣＤ（コンパクトディスク）などの記録媒体を複数収納でき、その複数の記録媒体から任意の記録媒体を選択して再生することができる、ＭＤチェンジャーシステムやＣＤチェンジャーシステムなどの再生装置に関する
（２）「【００２１】〔システムの基本構成〕図１は、この実施例形態のＭＤチェンジャーシステムの機能構成を示す。
【００２２】この実施形態のＭＤチェンジャーシステムは、大別して、
例えば５枚のディスク１ａ〜１ｅを収納できるディスクボックス３１と、そのうちの１枚のディスク１（図１では、ディスク１ａの場合として、ディスクボックス３１内のディスク１ａを破線で示す）を再生するプレーヤーボックス３２と、ディスクボックス３１とプレーヤーボックス３２との間でディスクを移動させるステージコントローラ３３およびローディングコントローラ３４とからなる
【００２３】ステージコントローラ３３は、プレーヤーボックス３２内の、例えばマイクロコンピュータによって構成されたシステムコントローラ１１からの命令によって、ディスクボックス３１内のどのディスクをプレーヤーボックス３２に装着し、かつプレーヤーボックス３２に装着されているディスク１をディスクボックス３１内のどのステージに戻すかを決定し、ローディングコントローラ３４は、このステージコントローラ３３の決定に従って、ディスクのプレーヤーボックス３２への装着と、プレーヤーボックス３２からの取り外し、およびディスクボックス３１への戻しのための、図では省略したローディングモータなどの機構を制御する。」
（３）「【００３４】〔メモリおよび表示手段〕図２は、
ＲＡＭ１２の一例を示す。この例では、ＲＡＭ１２は、不揮発性メモリとして構成されるとともに、０００００からＦＦＦＦＦまでのメモリアドレスを有し、そのうちの０００００から７ＦＦＦＦまでのアドレス領域が主メモリ領域１２Ｍとして設定され、８００００からＦＦＦＦＦまでのアドレス領域が先頭部メモリ領域１２Ｓとして設定される
【００３５】
主メモリ領域１２Ｍには、さらに、０００００から７ＦＦＦＦまでのアドレス領域の、後述するＴＯＣ（Ｔａｂｌｅ　Ｏｆ　Ｃｏｎｔｅｎｔｓ）情報が蓄えられるＴＯＣメモリ領域１２Ｍ１と、１００００から４ＦＦＦＦまでのアドレス領域の、先頭部データ後のデータが蓄えられるディスクメモリ領域１２Ｍ２とが設定される
【００３６】
ディスクメモリ領域１２Ｍ２は、システムコントローラ１１による制御によって、メモリデータ入力２１が、過去最後の入力アドレスがインクリメントされながら蓄えられ、その結果、入力アドレスが４ＦＦＦＦに達したときには、次の下位に戻ってアドレス１００００から続けて蓄えられる
【００３７】
その蓄積の過程で、メモリデータ入力２１の入力アドレスがメモリデータ出力２２の出力アドレスに達した場合には、システムコントローラ１１によって、ディスクメモリ領域１２Ｍ２へのデータの蓄積が中止される。そして、システムコントローラ１１によって、ディスクメモリ領域１２Ｍ２中のデータが蓄積されている領域１２Ｍ３から、下位から出力アドレスがインクリメントされながら、メモリデータ出力２２から読み出される
【００３８】ＭＤの場合、メモリデータ出力２２はメモリデータ入力２１の１／４以下の割合でインクリメントされる。したがって、外部からの衝撃などによって再生データにエラーが発生しても、蓄積領域１２Ｍ３に蓄積されているデータを用いることによって、一定時間の間は曲を再生することができ、その間にエラーをリカバリーすることによって、連続した再生を保証することができる。
【００３９】ＴＯＣメモリ領域１２Ｍ１に蓄えられるＴＯＣ情報は、それぞれのディスク１ａ〜１ｅのタイトル、それぞれのディスク１ａ〜１ｅに記録されている曲の曲名、アーチスト名、演奏時間、記録日時、ディスク上の記録されているアドレスなどのディスク管理情報で、後述するように、システム初期化時、あらかじめ、それぞれのディスク１ａ〜１ｅから読み取られてＴＯＣメモリ領域１２Ｍ１に蓄えられ、システムコントローラ１１によってディスクアクセスなどに用いられる。」
（４）「【００４２】〔システム初期化〕この実施形態のＭＤチェンジャーシステムでは、
ディスク１ａ〜１ｅがシステムに収納された直後のシステムへの電源投入時などのシステム初期化時、ディスク１ａ〜１ｅのＴＯＣ情報がＴＯＣメモリ領域１２Ｍ１に蓄えられ、ディスク識別情報がＥＥＰＲＯＭ１６に蓄えられ、先頭部データＤａ〜Ｄｅが先頭部メモリ領域１２Ｓに蓄えられる
【００４３】先頭部データなどを蓄えるディスクの順序は、システムにおいて任意に設定することができるが、以下では、ディスク１ａ，１ｂ，１ｃ，１ｄ，１ｅの順序で先頭部データなどを蓄える場合を、例として示す。
【００４４】まず、システムコントローラ１１は、ステージコントローラ３３やローディングコントローラ３４などを制御して、最初のディスク１ａをプレーヤーボックス３２に装着する。
【００４５】ディスク１ａをプレーヤーボックス３２の所定位置に装着した後、システムコントローラ１１は、初めに、そのディスク１ａの最内周部のＴＯＣ情報が記録されている部分にアクセスして、ディスク１ａのＴＯＣ情報を読み取り、ＴＯＣメモリ領域１２Ｍ１に書き込むとともに、そのＴＯＣ情報のうちのディスク識別情報、例えばディスクタイトル情報を、ＥＥＰＲＯＭ１６に書き込む。
【００４６】次に、システムコントローラ１１は、そのＴＯＣ情報から、ディスク１ａの先頭部データＤａが記録されているアドレスを検出して、そのアドレスにアクセスし、ディスク１ａの先頭部データＤａを読み取って、先頭部メモリ領域１２Ｓ中のディスク１ａに対応するアドレス領域１２Ｓａに、その先頭アドレス８００００から蓄える。
【００４７】ＴＯＣ情報の記録部分へのアクセス、ＴＯＣ情報の書き込み、ディスク識別情報の書き込み、および先頭部データＤａの記録アドレスへのアクセスには、約１秒の時間がかかり、先頭部データＤａを蓄えるには、約４秒の時間を要する。
【００４８】ディスク１ａの先頭部データＤａを全て蓄えた後、システムコントローラ１１は、まず、ローディングコントローラ３４を制御して、プレーヤーボックス３２に装着されているディスク１ａを、プレーヤボックス３２から取り外してディスクボックス３１の元の位置に戻す。これに要する時間は、約１秒である。
【００４９】次に、システムコントローラ１１は、ステージコントローラ３３を制御して、ディスクボックス３１を、この場合には１ステージ分、移動させる。これに要する時間は、４〜５秒である。
【００５０】次に、システムコントローラ１１は、ローディングコントローラ３４を制御して、ディスク１Ｓｂをディスクボックス３１からプレーヤーボックス３２に装着する。これに要する時間は、約１秒である。
【００５１】このようにして、次のディスク１ｂがプレーヤーボックス３２の所定位置に装着される。これに要する時間は、６〜７秒である。
【００５２】その後、最初のディスク１ａのときと同様に、システムコントローラ１１は、ディスク１ｂのＴＯＣ情報を読み取って、ＴＯＣメモリ領域１２Ｍ１に書き込み、そのＴＯＣ情報のうちのディスク識別情報を、ＥＥＰＲＯＭ１６に書き込み、ディスク１ｂの先頭部データＤｂを読み取って、先頭部メモリ領域１２Ｓ中のディスク１ｂに対応するアドレス情報領域１２Ｓｂに、その先頭アドレス９００００から蓄える。
【００５３】以後、同様の処理によって、ディスク１ｃ、１ｄ、１ｅのＴＯＣ情報をＴＯＣメモリ領域１２Ｍ１に書き込み、ディスク識別情報をＥＥＰＲＯＭ１６に書き込み、先頭部データＤｃ，Ｄｄ，Ｄｅを先頭部メモリ領域１２Ｓ中のアドレス領域１２Ｓｃ，１２Ｓｄ，１２Ｓｅに蓄えて、システム初期化を終了する。」
（５）「【００５５】〔初期化後の再生〕上述した初期化が終了したシステムでは、ディスク交換を必要とする場合でも、ユーザの指示したディスクが、先頭部から直ちに、音が途切れることなく連続して再生される。ディスク１ａを再生している時に、ユーザがディスク１ｂの再生を指示した場合を、例として示す。ディスク識別情報の表示については、後述する。
【００５６】この場合、ユーザの選択操作時点では、プレーヤーボックス３２にはディスク１Ｓａが装着され、ディスク１ａが再生されているので、主メモリ領域１２Ｍ内の蓄積領域１２Ｍ３にはディスク１ａの最新のデータが蓄えられている。
【００５７】この状態で、
ディスク１ｂが選択されると、システムコントローラ１１は、メモリデータ出力２２の出力アドレスを、蓄積領域１２Ｍ３中のメモリデータ出力２２を最後に読み出したアドレスから、先頭部メモリ領域１２Ｓ中のディスク１ｂの先頭部Ｄｂが蓄えられているアドレス領域１２Ｓｂの先頭アドレス９００００に変更して、ディスク１ｂの先頭部データＤｂを読み出す
【００５８】読み出された先頭部データＤｂは、オーディオデコーダ入力２３としてオーディオデコーダ１３で処理され、さらにＤ／Ａコンバータ１４でアナログオーディオ信号２５に変換される。
【００５９】したがって、
ユーザの選択操作後、直ちに、ユーザの指示したディスク１ｂの先頭部が再生される。先頭部データＤｂは、再生出力の時間にして約１４秒分であるので、約１４秒の間、音が途切れることなく先頭部が再生される
【００６０】これと平行して、システムコントローラ１１は、まず、ローディングコントローラ３４を制御して、このときプレーヤーボックス３２に装着されているディスク１ａを、プレーヤーボックス３２から取り外してディスクボックス３１の元の位置に戻す。これに要する時間は、約１秒である。
【００６１】次に、システムコントローラ１１は、ステージコントローラ３３を制御して、ディスクボックス３１を、この場合には１ステージ分、移動させる。これに要する時間は、約１秒である。
【００６２】次に、システムコントローラ１１は、ローディングコントローラ３４を制御して、ディスク１ｂをディスクボックス３１からプレーヤーボックス３２に装着する。これに要する時間は、約１秒である。
【００６３】このようにして、ユーザの指示したディスク１ｂがプレーヤーボックス３２の所定の位置に装着される。これに要する時間は、６〜７秒である。
【００６４】その後、システムコントローラ１１は、
システム初期化時、あらかじめＴＯＣメモリ領域１２Ｍ１に蓄えられたＴＯＣ情報から、ディスク１ｂの先頭部データＤｂの続きのアドレスである、ディスク先頭位置から１００００だけオフセットした位置を計算し、その位置に光学ヘッド３をアクセスさせる
【００６５】アクセス終了後、システムコントローラ１１は、アクセスしたアドレス位置からのデータ、すなわちディスク１ｂの先頭部データＤｂ後のデータを、ディスクメモリ領域１２Ｍ２に、その先頭アドレス１００００から蓄える。
【００６６】この時点では、ユーザの選択操作時点から、１４秒以内であるので、先頭部メモリ領域１２Ｓのアドレス領域１２Ｓｂから、いまだディスク１ｂの先頭部データＤｂが読み出されている。
【００６７】そして、
ユーザの選択操作時点から、１４秒後、先頭部データＤｂを全て読み出したら、システムコントローラ１１は、メモリデータ出力２２の出力２２の出力アドレスを、アドレス領域１２Ｓｂの最終アドレス９ＦＦＦＦから、ディスクメモリ領域１２Ｍ２の先頭アドレス１００００に変更して、ディスク１ｂの先頭部データＤｂ後のデータを読み出す
【００６８】読み出された先頭部データＤｂ後のデータは、オーディオデコーダ入力２３としてオーディオデコーダ１３で処理され、さらにＤ／Ａコンバータ１４でアナログオーディオ信号２５に変換される。
【００６９】
したがって、ユーザの指示したディスク１ｂの先頭部から、その後の部分にかけて、音が途切れることなく連続して再生される。その後の処理は、先頭部データをメモリに蓄えないシステムと同じである
　
　上記摘示事項及び図面の記載を参酌すると、引用例１には、次の発明が記載されているものと認める。
　
「それぞれＴＯＣ情報を有する複数のディスクを収納できるディスクボックス３１と、そのうちの１枚のディスクを再生するプレーヤーボックス３２と、主メモリ領域１２Ｍ（ＴＯＣ情報が蓄えられるＴＯＣメモリ領域１２Ｍ１と先頭部データ後のデータが蓄えられるディスクメモリ領域１２Ｍ２）と先頭部データが蓄えられる先頭部メモリ領域１２Ｓとが設定されているＲＡＭ１２とを備え、ディスク１ｂが選択されると、先頭部メモリ領域１２Ｓ中のディスク１ｂの先頭部データＤｂを読み出し、先頭部データＤｂを全て読み出したら、ディスクメモリ領域１２Ｍ２の先頭部データ後のデータを読み出し、ディスク１ｂの先頭部から、その後の部分にかけて音が途切れることなく連続して再生することができるディスクチェンジャーシステムにおいて、
　該複数のディスクがシステムに収納された直後のシステム初期化時、該複数のディスクのＴＯＣ情報がＴＯＣメモリ領域１２Ｍ１に蓄えられ、該蓄えられたＴＯＣ情報から、ディスク１ｂの先頭部データＤｂの続きのアドレスである、ディスク先頭位置から１００００だけオフセットした位置を計算し、その位置に光学ヘッドをアクセスさせることを特徴とするディスクチェンジャーシステム。」
　
３．対比
　そこで、本願補正発明と引用例１に記載された発明とを対比する。
（１）引用例１に記載された発明は、「ディスクチェンジャーシステム」に関するものであるが、音が途切れることなく連続して再生するとの動作から「ディスク再生方法」を対象にしているといえる。
（２）引用例１に記載された発明における「ディスクボックス」は、複数枚のディスクを収納できるものであるから、本願補正発明における「ストッカ」に相当する。
（３）引用例１に記載された発明は、ＴＯＣメモリ領域１２Ｍ１に蓄えられたＴＯＣ情報からディスク先頭位置１ｂの先頭部データＤｂの続きのアドレスである、ディスク先頭位置から１００００だけオフセットした位置を計算し、その位置に光学ヘッド３をアクセスさせる、換言すれば、ＴＯＣメモリ領域１２Ｍ１に蓄えられたＴＯＣ情報によりディスクをアクセスするものであるから、引用例１に記載された発明は、本願補正発明における「ＴＯＣ情報を参照して目的のディスクを選択的に再生する」及び「目的のディスクを再生するときは、保持されたＴＯＣ情報を参照する」に相当する構成を備えている。
（４）引用例１に記載された発明における「ＲＡＭ１２」は、ディスクの先頭部データが蓄えられる先頭部メモリ領域１２Ｓと先頭部データ後のデータが蓄えられるディスクメモリ領域１２Ｍ２とが設定されるものであるから、本願補正発明における「ディスクに記録されたデータを蓄積」する「プルーフメモリ」に相当する。
（５）引用例１に記載された発明は、ディスク１ｂが選択されると、先頭部メモリ領域１２Ｓに蓄積された先頭部データ、その後、ディスクメモリ領域１２Ｍ２の先頭部データ後のデータを読み出し、音が途切れることなく連続して再生するものであるから、本願補正発明の「プルーフメモリに蓄積されたデータを再生することによりディスク交換時の継続再生を可能にする」に相当する構成を備えている。
（６）引用例１に記載された発明は、ディスク１ａ〜１ｅ（複数のディスク）がシステムに収納された直後にディスク１ａ〜１ｅのＴＯＣ情報がＴＯＣメモリ領域１２Ｍ１に蓄えられるものであるから、本願補正発明の「複数のディスクが装填された時点で、各ディスクのＴＯＣ情報を読み込んで一旦保持し」に相当する構成を備えている。
　
　そうすると、本願補正発明と引用例１に記載された発明とは、次の点で一致する。
［一致点］
「それぞれＴＯＣ情報を有する複数のディスクをストッカに収納した状態で装填し、該ＴＯＣ情報を参照して目的のディスクを選択的に再生するに際し、ディスクに記録されたデータを一旦プルーフメモリに蓄積し、該プルーフメモリに蓄積されたデータを再生することによりディスク交換時の継続再生を可能にするディスク再生方法において、
　複数のディスクが装填された時点で、各ディスクのＴＯＣ情報を一旦保持し、目的のディスクを再生するときは、保持されたＴＯＣ情報を参照することを特徴とするディスク再生方法。」
　
そして、次の各点で相違する。
［相違点］
（ａ）本願補正発明は、ディスクの収納について、複数のディスクをストッカの一部に収納した状態で装填しているのに対し、引用例１に記載された発明は、５枚（複数）のディスク１ａ〜１ｅを収納できるディスクボックスである点（以下、「相違点ａ」という。）。
（ｂ）本願補正発明は、ＴＯＣ情報の保持について、各ディスクのＴＯＣ情報をストッカ情報と結び付けて読み込んで保持しているのに対し、引用例１に記載された発明は、このような構成については特に示されていない点（以下、「相違点ｂ」という。）。
　
４．判断
　そこで、上記各相違点について検討する。
　
（相違点ａについて）
　ディスクチェンジャーシステムにおいて、ディスクボックスに収納するディスク枚数をどの程度にするかは、該ディスクチェンジャーシステムを使用するユーザが適宜に選択すべき事項であり、さらに複数のディスクをディスクボックスの一部に収納することは、原査定の拒絶査定時で示された周知例（特開平４−３５８３８３号公報、特開平１１−２５６５４号公報）等で周知の技術であるから、複数のディスクをストッカの一部に収納することは、当業者が適宜になし得る程度のものである。
　
（相違点ｂについて）
　引用例１に記載された発明は、ディスクボックス３１に収納されている各ディスクのＴＯＣ情報を各ディスクに対応したＴＯＣメモリ領域１２Ｍ１に蓄えるものであるから、ＴＯＣ情報の保持に際し、各ディスクのＴＯＣ情報とストッカ情報とを関連づけて保持させることは当業者が当然に考慮すべき事項であり、また、ディスクチェンジャーシステムにおいて、ＴＯＣ情報をストッカ情報と結び付けて保持することは、原査定の拒絶査定時で示された周知例（特開平４−３５８３８３号公報、特開平８−３０６１７０号公報、特開平１１−２５６５４号公報）等で周知の技術であるから、各ディスクのＴＯＣ情報をストッカ情報と結び付けて読み込んで保持することは、当業者が容易に想到できたものである。
　
　そして、上記各相違点を総合的に判断しても、本願補正発明が奏する効果は引用例１に記載のものから、当業者が十分に予測できたものであって、格別なものとはいえない。
　
　したがって、本願補正発明は、引用例１に記載された発明及び周知技術に基づいて当業者が容易に発明をすることができたものであるから、特許法第２９条第２項の規定により特許出願の際独立して特許を受けることができない。
　
５．本件補正についてのむすび
　以上のとおり、本件補正は、特許法第１７条の２第５項で準用する同法第１２６条第５項の規定に違反するものであるから、特許法第１５９条第１項の規定で読み替えて準用する特許法第５３条第１項の規定により却下されるべきものである。
　
第３　本願発明について
１．本願発明
　平成１６年１２月２２日付けの手続補正は上記のとおり却下されたので、本願の請求項１乃至１０に係る発明は平成１６年９月１５日付け手続補正書の請求項１乃至１０に記載された事項により特定されるとおりのものである。
　そのうち、本願の請求項２に係る発明（以下、同項記載の発明を「本願発明」という。）は、上記「第２［理由］１．」に本願補正前の請求項２として記載したとおりである。
　
２．引用例
　原査定の拒絶の理由に引用された引用例の記載事項は、上記「第２［理由］２．」に示したとおりである。
　
３．対比・判断
　本願発明は、上記「第２」で検討した本願補正発明から「メモリ」に関し、「プルーフ」との構成を省略したものである。
　そうすると、本願発明の構成要件を全て含み、さらに他の構成要件を付加したものに相当する本願補正発明が、上記「第２」に記載したとおり、引用例１に記載された発明及び周知技術に基づいて、当業者が容易に発明をすることができたものであるから、本願発明も、同様の理由により、引用例１に記載された発明及び周知技術に基づいて、当業者が容易に発明をすることができたものである。
　
４．むすび
　以上のとおり、本願の請求項２に係る発明は、引用例１に記載された発明及び周知技術に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。